(57)【特許請求の範囲】
【請求項１】
液体と気体とを混合およびせん断してマイクロバブル含有水を作製する第１気体せん断部と、
前記マイクロバブル含有水を更にせん断してナノバブル含有水を作製する第２気体せん断部と、
前記マイクロバブル含有水または前記ナノバブル含有水に対して、磁束密度が３５０ミリテスラ以上の磁場をかける磁気活水作製手段と、を有し、
前記磁気活水作製手段には、第１配管を介してマイクロバブル含有水またはナノバブル含有水が供給されており、
前記第１配管には、当該第１配管の少なくとも一部の内腔横断面の大きさを変化させ得る配管径調節手段が設けられていることを特徴とするナノバブル含有磁気活水製造装置。
【請求項２】
前記磁気活水作製手段は、磁石のＳ極として機能する第１面と磁石のＮ極として機能する第２面とが対向するように配置された流路を備え、
前記流路中を、前記マイクロバブル含有水または前記ナノバブル含有水が通過することを特徴とする請求項１に記載のナノバブル含有磁気活水製造装置。
【請求項３】
前記第１面と前記第２面との間隔は、３０ｍｍ以下であることを特徴とする請求項２に記載のナノバブル含有磁気活水製造装置。
【請求項４】
前記第１気体せん断部に対して、１．２リットル／分以下にて前記気体を供給するための気体量調節手段を有することを特徴とする請求項１に記載のナノバブル含有磁気活水製造装置。
【請求項５】
前記第１気体せん断部の内部の横断面は、楕円形または真円形であることを特徴とする請求項１に記載のナノバブル含有磁気活水製造装置。
【請求項６】
前記第１気体せん断部の内部表面には、２本以上の溝が設けられることを特徴とする請求項１に記載のナノバブル含有磁気活水製造装置。
【請求項７】
前記溝の深さは、０．３ｍｍ〜０．６ｍｍであり、
前記溝の幅は、０．８ｍｍ以内であることを特徴とする請求項６に記載のナノバブル含有磁気活水製造装置。
【請求項８】
前記第１気体せん断部には、第２配管を介して前記液体が供給されるとともに、第３配管を介して前記マイクロバブル含有水が吐出され、
前記第２配管の内腔の横断面の面積は、前記第３配管の内腔の横断面の面積よりも大きいことを特徴とする請求項１に記載のナノバブル含有磁気活水製造装置。
【請求項９】
前記第１気体せん断部の内部には、第４配管を介して前記気体が供給され、
前記第４配管は、前記第１気体せん断部の内側面に対して１８度の角度をなすように、前記第１気体せん断部に接続されていることを特徴とする請求項１に記載のナノバブル含有磁気活水製造装置。
【請求項１０】
前記第１気体せん断部の隔壁の厚さは、６ｍｍ〜１２ｍｍであることを特徴とする請求項１に記載のナノバブル含有磁気活水製造装置。
【請求項１１】
前記磁気活水作製手段によって磁場がかけられた前記マイクロバブル含有水または前記ナノバブル含有水を更にせん断する第３気体せん断部を有することを特徴とする請求項１に記載のナノバブル含有磁気活水製造装置。
【請求項１２】
液体と気体とを混合およびせん断してマイクロバブル含有水を作製する第１気体せん断工程と、
前記マイクロバブル含有水を更にせん断してナノバブル含有水を作製する第２気体せん断工程と、
前記マイクロバブル含有水または前記ナノバブル含有水に、磁束密度が３５０ミリテスラ以上の磁場をかける磁気活水作製工程と、を有し、
前記磁気活水作製工程では、前記マイクロバブル含有水または前記ナノバブル含有水に対して前記磁場をかける磁気活水作製手段に対して、第１配管を介してマイクロバブル含有水またはナノバブル含有水が供給され、
前記第１配管には、当該第１配管の少なくとも一部の内腔横断面の大きさを変化させ得る配管径調節手段が設けられていることを特徴とするナノバブル含有磁気活水製造方法。
【請求項１３】
前記第１気体せん断工程は、
前記液体をポンプにて攪拌する液体攪拌工程と、
前記攪拌されている液体に対して前記気体を加える気体混合工程と、を有し、
前記気体混合工程では、前記ポンプの出力が最大値に達した時点以降に、前記気体が前記液体に対して加えられることを特徴とする請求項１２に記載のナノバブル含有磁気活水製造方法。
【請求項１４】
前記気体混合工程では、前記ポンプの動作開始時から６０秒後以降に、前記気体が前記液体に対して加えられることを特徴とする請求項１３に記載のナノバブル含有磁気活水製造方法。
【請求項１５】
前記液体は、上水、廃水、浴槽水、培養液または原油であることを特徴とする請求項１２に記載のナノバブル含有磁気活水製造方法。
【請求項１６】
前記磁気活水作製工程において磁場がかけられた前記マイクロバブル含有水または前記ナノバブル含有水を更にせん断する第３気体せん断工程を有することを特徴とする請求項１２に記載のナノバブル含有磁気活水製造方法。
【発明の詳細な説明】
【技術分野】
【０００１】
本発明は、ナノバブルを含有する磁気活水を製造するための装置、およびナノバブルを含有する磁気活水を製造するための方法に関するものである。
【背景技術】
【０００２】
ダイオキシン、有機フッ素化合物（例えば、パーフルオロオクタスルホン酸（ＰＦＯＳ）またはパーフルオロオクタン酸（ＰＦＯＡ）等）は化学的に安定な物質であって、耐熱性および耐薬品性（例えば、耐酸性）に優れている。それゆえ、例えば有機フッ素化合物は、界面活性剤、または半導体製造における反射防止膜等の産業用材料として広く用いられている。しかしながら、有機フッ素化合物が広く用いられれば用いられるほど、有機フッ素化合物が自然界に放出される可能性が増加する。上述したように、有機フッ素化合物は化学的に安定な物質であるが故に、一度自然界に放出されれば、深刻な環境汚染の原因となり得る。例えば、北極熊、アザラシおよび鯨の体内から有機フッ素化合物が検出されており、有機フッ素化合物による環境汚染が国際的に深刻化しつつあることが明らかになっている。
【０００３】
それゆえ、環境汚染を防止するために、産業用材料として用いられた後の有機フッ素化合物を処理（例えば、回収および分解）するための様々な装置および方法の開発が進められている。
【０００４】
例えば、有機フッ素化合物等を含有する水の浄化設備として、生物学的処理設備（例えば各種微生物槽）、または物理学的処理設備（例えば活性炭吸着塔、急速濾過装置）が従来から用いられている。上記生物学的処理設備の場合、微生物の代謝経路中に有機フッ素化合物が取り込まれ、当該代謝経路中で、有機フッ素化合物が分解される。一方、物理学的処理設備の場合、有機フッ素化合物を例えば活性炭に吸着させた後、当該活性炭から有機フッ素化合物を回収している。
【０００５】
また、有機フッ素化合物を含有する廃水を加熱処理することによって、有機フッ素化合物を熱分解する方法も従来から用いられている。
【０００６】
ところで、従来から、小さな直径を有する気泡（バブル）には様々な生理作用があることが知られており、現在、このような気泡を作製する技術およびその効果に対する研究が進みつつある。そして、上記気泡を用いて、様々な有機物を分解しようとする試みもなされている。
【０００７】
上記気泡は、その直径に応じて、マイクロバブル、マイクロナノバブルおよびナノバブルに分類することができる。具体的には、マイクロバブルは、その発生時において１０μｍ〜数十μｍの直径を有する気泡であり、マイクロナノバブルは、その発生時において数百ｎｍ〜１０μｍの直径を有する気泡であり、ナノバブルは、その発生時において数百ｎｍ以下の直径を有する気泡である。なお、マイクロバブルは、発生後の収縮運動によって、その一部がマイクロナノバブルに変化することがある。また、ナノバブルは、長期に渡って液体中に存在することができるという性質を有している。
【０００８】
例えば、従来から、様々なナノバブルの利用方法、およびナノバブルを利用した各種装置が知られている（例えば、特許文献１参照）。より具体的には、特許文献１には、ナノバブルが、浮力の減少、表面積の増加、表面活性の増大、局所高圧場の生成、または静電分極の実現によって、界面活性作用および殺菌作用を示すことが記載されている。更に、特許文献１には、ナノバブルが有する界面活性作用および殺菌作用を用いて、各種物体を洗浄する技術および汚濁水を浄化する技術が記載されている。更に、特許文献１には、ナノバブルを用いて生体の疲労を回復する方法が記載されている。なお、特許文献１では、水を電気分解するとともに、当該水に超音波振動を加えることによって、ナノバブルを作製している。
【０００９】
また、従来から、液体を原料としてナノバブルを作製する方法が知られている（例えば、特許文献２参照）。上記作製方法は、液体中において、１）上記液体の一部を分解ガス化する工程、２）上記液体に超音波を印加する工程、または３）上記液体の一部を分解ガス化する工程および上記液体に超音波を印加する工程、からなるものである。なお、液体の一部を分解ガス化する工程として、電気分解法または光分解法を用いることができることが記載されている。
【００１０】
また、従来から、オゾンガスからなるマイクロバブル（オゾンマイクロバブル）を利用する廃液処理装置が用いられている（例えば、特許文献３参照）。上記廃液処理装置では、オゾン発生装置によって作製されたオゾンガスと廃液とを、加圧ポンプを用いて混合することによって、オゾンガスからなるマイクロバブルを作製している。そして、当該マイクロバブルが廃液中の有機物と反応することによって、廃液中の有機物が酸化分解される。
【特許文献１】特開２００４−１２１９６２号公報（平成１６年４月２２日公開）
【特許文献２】特開２００３−３３４５４８号公報（平成１５年１１月２５日公開）
【特許文献３】特開２００４−３２１９５９号公報（平成１６年１１月１８日公開）
【発明の開示】
【発明が解決しようとする課題】
【００１１】
しかしながら、上記従来の装置および方法では、化学的に安定な物質（例えば、有機フッ素化合物）を効率的に分解することができないという問題点を有している。
【００１２】
例えば、上記生物学的処理設備を用いる場合、有機フッ素化合物を効率的に分解することができる微生物が存在しない。したがって、大量の有機フッ素化合物を処理することができないという問題点を有している。
【００１３】
また、上記物理学的処理設備を用いる場合、例えば活性炭を頻繁に交換することが必要であるため作業が煩雑であるという問題点を有するとともに、活性炭を再生するために多くのコストを必要とするという問題点を有している。また、上記物理学的処理設備は、基本的に有機フッ素化合物を回収するための設備であって、有機フッ素化合物を分解するための設備ではない。したがって、上記物理学的処理設備を用いる場合、有機フッ素化合物を分解するための更なる設備（例えば、加熱装置）を必要とするという問題点を有している。
【００１４】
また、有機フッ素化合物を含有する廃水を加熱処理する場合、有機フッ素化合物は熱に安定であるので、約１０００℃以上に加熱して熱分解させる必要がある。したがって、有機フッ素化合物を含有する廃水を加熱処理する場合、当該廃水を高温に加熱するための更なる設備を必要とするとともに、多量の燃料を必要とするという問題点を有している。また、加熱処理の過程で多くの二酸化炭素を自然界に排出するので、地球温暖化を招くという問題点を有している。
【００１５】
また、上記気泡を用いる場合、気泡によって多様な有機物を分解することができるが、有機フッ素化合物のような化学的に安定な物質に関しては、効率的に分解することができない。したがって、大量の有機フッ素化合物を処理することができないという問題点を有している。
【００１６】
本発明は、上記従来の問題点に鑑みなされたものであって、その目的は、化学的に安定な物質を効率的に分解し得るナノバブル含有磁気活水の製造装置およびナノバブル含有磁気活水の製造方法を提供することにある。
【課題を解決するための手段】
【００１７】
本発明者らは、上記課題に鑑み鋭意検討した結果、以下の１）〜５）を見出し、本発明を完成させるに至った。つまり、
１）ナノバブル含有磁気活水は、ナノバブル含有水よりも大きなマイナス電荷を有し、それゆえ、ナノバブル含有磁気活水は、強い酸化力を有すること、
２）ナノバブル含有磁気活水は、磁力とナノバブルとの相乗効果によって、ナノバブル含有水よりも格段に多くの不安定なフリーラジカルを発生する。その結果、ナノバブル含有磁気活水は、強い酸化力を有すること、
３）ナノバブル含有磁気活水は、ナノバブル含有水よりも強い酸化力を有する。それゆえ、ナノバブル含有磁気活水は、難分解性の有機フッ素化合物を効率的に酸化分解し得ること、
４）難分解性の有機フッ素化合物を完全に処理するためには、まず、難分解性の物質（例えば、有機フッ素化合物）をナノバブル含有磁気活水にて酸化分解（１次処理）し、その後、例えば活性炭に吸着（２次処理）することが有効であること、
５）ナノバブル含有磁気活水は、ナノバブル含有水よりも微生物を活性化するので、微生物を用いた廃水処理に有効であること。
【００１８】
本発明のナノバブル含有磁気活水製造装置は、液体と気体とを混合およびせん断してマイクロバブル含有水を作製する第１気体せん断部と、前記マイクロバブル含有水を更にせん断してナノバブル含有水を作製する第２気体せん断部と、前記マイクロバブル含有水または前記ナノバブル含有水に対して磁場をかける磁気活水作製手段と、を有することを特徴としている。
【００１９】
上記構成によれば、上記第１気体せん断部によってマイクロバブル含有水を作製することができるとともに、当該マイクロバブル含有水を用いて、上記第２気体せん断部によってナノバブル含有水を作製することができる。つまり、一連の連続した工程によって、効率よくナノバブル含有水を作製することができる。また、上記構成によれば、マイクロバブル含有水またはナノバブル含有水に対して磁場をかけるので、最終産物であるナノバブル含有水を磁気活水にすることができる。換言すれば、最終産物であるナノバブル含有水に、磁気活水としての活性（磁気活性）を備えさせることができる。つまり、ナノバブル含有磁気活水に、ナノバブルによって発生されるフリーラジカルが有する酸化能力と、磁気活水中に発生する活性酸素が有する酸化能力の両方を備えさせることができる。
【００２０】
マイクロバブルとナノバブルとは、共にフリーラジカルを発生するが、マイクロバブルは水中に数時間程度存在するのに対し、ナノバブルは水中に１週間以上存在することができる。したがって、ナノバブルを用いれば、ナノバブルによって発生されるフリーラジカルが有する酸化能力を、１週間以上持続することができる。すなわち、ナノバブル含有磁気活水は、フリーラジカルが有する酸化能力と、磁気活水中に発生する活性酸素が有する酸化能力との両方を、１週間以上持続することができる。
【００２１】
本発明のナノバブル含有磁気活水製造装置では、前記磁気活水作製手段には、第１配管を介してマイクロバブル含有水またはナノバブル含有水が供給されており、前記第１配管には、当該第１配管の少なくとも一部の内腔横断面の大きさを変化させ得る配管径調節手段が設けられていることが好ましい。
【００２２】
上記構成によれば、上記配管径調節手段によって、第１配管の少なくとも一部の領域において配管内腔の横断面の大きさを変化させることができる。その結果、第１配管を介して上記磁気活水作製手段に供給されるマイクロバブル含有水またはナノバブル含有水の量を調節することができる。つまり、上記磁気活水作製手段によって磁気がかけられているときのマイクロバブル含有水またはナノバブル含有水の流速を調節することができるとともに、上記磁気活水作製手段によって磁気がかけられているときのマイクロバブル含有水またはナノバブル含有水の流れを乱流ではなく相流にすることができる。
【００２３】
効率よく磁気活水を作製するためには磁場がかけられる液体の流速を調節する必要がある。したがって、上記構成によれば、効率よく磁気活水を作製することができる。また、マイクロバブル含有水またはナノバブル含有水の流れが相流であれば、マイクロバブル含有水またはナノバブル含有水に対して均等に磁場をかけることができる。その結果、効率的に磁気活水を作製することができる。
【００２４】
本発明のナノバブル含有磁気活水製造装置では、前記磁気活水作製手段は、磁石のＳ極として機能する第１面と磁石のＮ極として機能する第２面とが対向するように配置された流路を備え、前記流路中を、前記マイクロバブル含有水または前記ナノバブル含有水が通過することが好ましい。
【００２５】
上記構成によれば、上記磁気活水作製手段は、磁石のＳ極として機能する第１面と磁石のＮ極として機能する第２面とが対向するように配置された流路を有している。したがって、当該流路中をマイクロバブル含有水またはナノバブル含有水を通過させることによって、マイクロバブル含有水またはナノバブル含有水に磁場をかけることができる。そして、その結果、マイクロバブル含有水またはナノバブル含有水を磁気活水にすることができる。換言すれば、マイクロバブル含有水またはナノバブル含有水に、磁気活水としての活性を備えさせることができる。
【００２６】
本発明のナノバブル含有磁気活水製造装置では、前記第１面と前記第２面との間隔は、３０ｍｍ以下であることが好ましい。
【００２７】
上記構成によれば、上記流路中を通過しているマイクロバブル含有水またはナノバブル含有水に均等に磁場をかけることができる。その結果、より効率的に、マイクロバブル含有水またはナノバブル含有水を磁気活水にすることができる。
【００２８】
本発明のナノバブル含有磁気活水製造装置は、前記第１気体せん断部に対して、１．２リットル／分以下にて前記気体を供給するための気体量調節手段を有することが好ましい。
【００２９】
上記構成によれば、上記気体量調節手段によって、第１気体せん断部に対して１．２リットル／分以下にて気体を供給することができる。そして、後述する実施例にも明記しているように、上記割合にて第１気体せん断部に気体を供給すれば、多量のナノバブルを作製することができる。
【００３０】
本発明のナノバブル含有磁気活水製造装置では、前記第１気体せん断部の内部の横断面は、楕円形または真円形であることが好ましい。
【００３１】
上記構成によれば、上記第１気体せん断部の内部の横断面の形状が、楕円形または真円形であるので、上記気体と上記液体との混合物は、上記第１気体せん断部の内部表面に沿って回転運動を行うことができる。つまり、旋回乱流が起こらないような状態で、上記第１気体せん断部の内部にて、上記気体と上記液体との混合物を高速にて回転運動させることができる。その結果、効率よく気体をせん断することができるので、第１気体せん断部にて、多量のマイクロバブルを作製することができる。そして、第１気体せん断部にて多量のマイクロバブルを作製することができれば、第２気体せん断部にて、当該マイクロバブルから多量のナノバブルを作製することができる。
【００３２】
本発明のナノバブル含有磁気活水製造装置では、前記第１気体せん断部の内部表面には、２本以上の溝が設けられることが好ましい。
【００３３】
上記構成によれば、上記第１気体せん断部の内部表面に溝を形成することによって、上記第１気体せん断部の内部にて上記気体と上記液体との混合物を回転運動させた場合に、旋回乱流が生じることを防止することができる。その結果、第１気体せん断部にて、多量のマイクロバブルを作製することができる。そして、第１気体せん断部にて多量のマイクロバブルを作製することができれば、第２気体せん断部にて、当該マイクロバブルから多量のナノバブルを作製することができる。
【００３４】
本発明のナノバブル含有磁気活水製造装置では、前記溝の深さは、０．３ｍｍ〜０．６ｍｍであり、前記溝の幅は、０．８ｍｍ以内であることが好ましい。
【００３５】
上記構成によれば、より確実に旋回乱流が生じることを防止することができる。
【００３６】
本発明のナノバブル含有磁気活水製造装置では、前記第１気体せん断部には、第２配管を介して前記液体が供給されるとともに、第３配管を介して前記マイクロバブル含有水が吐出され、前記第２配管の内腔の横断面の面積は、前記第３配管の内腔の横断面の面積よりも大きいことが好ましい。
【００３７】
上記構成によれば、多量のマイクロバブルを作製することができるとともに、当該マイクロバブルを用いて多量のナノバブルを作製することができる。一般的に上記第１気体せん断部にて安定にマイクロバブルを作製するためには、上記第１気体せん断部からのマイクロバブル含有水の吐出圧力を高める必要がある。そこで、液体を上記第１気体せん断部に供給するための第２配管の内腔における横断面の面積を、マイクロバブル含有水を上記第１気体せん断部から吐出するための第３配管の内腔における横断面の面積よりも大きくすれば（換言すれば、上記マイクロバブル含有水の吐出口を上記液体の供給口よりも小さくすれば）、上記第１気体せん断部からのマイクロバブル含有水の吐出圧力を高めることができる。その結果、上記第１気体せん断部にて多量のマイクロバブルを作製することができる。そして、第１気体せん断部にて多量のマイクロバブルを作製することができれば、当該マイクロバブルを用いて、第２気体せん断部にて多量のナノバブルを作製することができる。
【００３８】
本発明のナノバブル含有磁気活水製造装置では、前記第１気体せん断部の内部には、第４配管を介して前記気体が供給され、前記第４配管は、前記第１気体せん断部の内側面に対して１８度の角度（換言すれば、第１気体せん断部の内側面への入射角度が１８度）をなすように、前記第１気体せん断部に接続されていることが好ましい。なお、上記１８度の値は入射最適角度であって、入射角度が略１８度であればよい。具体的には、上記入射角度は、１７度〜１９度であることが好ましい。
【００３９】
上記構成によれば、実験結果から判断して、入射角度が１８度であることによって気体と液体との効率の良い高速せん断が起こり、多量のマイクロバブルを作製することができる。すなわち、上記第１気体せん断部によって多量のマイクロバブルを作製することができる。そして、当該マイクロバブルを用いれば、第２気体せん断部にて多量の名のナノバブルを作製することができる。
【００４０】
本発明のナノバブル含有磁気活水製造装置では、前記第１気体せん断部の隔壁の厚さは、６ｍｍ〜１２ｍｍであることが好ましい。
【００４１】
上記構成によれば、第１気体せん断部の隔壁が厚く形成されているので、第１気体せん断部が振動することがない。つまり、第１気体せん断部の内部にて上記気体と上記液体との混合物が旋回しても、それによって第１気体せん断部が振動することがない。したがって、第１気体せん断部の内部で旋回している上記混合物の運動エネルギーが、振動として外部（例えば、外部気体）に伝播して失われることがないので、上記混合物を高速で回転運動させることができる。その結果、上記第１気体せん断部にて、効率よくマイクロバブルを作製することができる。
【００４２】
本発明のナノバブル含有磁気活水製造装置は、前記磁気活水作製手段によって磁場がかけられた前記マイクロバブル含有水または前記ナノバブル含有水を更にせん断する第３気体せん断部を有することが好ましい。
【００４３】
上記構成によれば、最終的に作製されるナノバブル含有磁気活水中に含まれるナノバブルのサイズを小さくすることができるとともに、最終的に作製されるナノバブル含有磁気活水中に含まれるナノバブルの量を増加させることができる。その結果、ナノバブル含有磁気活水の酸化能力を上昇させることができる。
【００４４】
本発明のナノバブル含有磁気活水製造方法は、上記課題を解決するために、液体と気体とを混合およびせん断してマイクロバブル含有水を作製する第１気体せん断工程と、前記マイクロバブル含有水を更にせん断してナノバブル含有水を作製する第２気体せん断工程と、前記マイクロバブル含有水または前記ナノバブル含有水に磁場をかける磁気活水作製工程と、を有することを特徴としている。
【００４５】
上記構成によれば、上記第１気体せん断工程によってマイクロバブル含有水を作製することができるとともに、当該マイクロバブル含有水を用いて、上記第２気体せん断工程によってナノバブル含有水を作製することができる。つまり、一連の連続した工程によって、効率よくナノバブル含有水を作製することができる。また、上記構成によれば、マイクロバブル含有水またはナノバブル含有水に対して磁場をかける磁気活水作製工程を有しているので、最終産物であるナノバブル含有水を磁気活水にすることができる。換言すれば、最終産物であるナノバブル含有水に、磁気活水としての活性を備えさせることができる。つまり、ナノバブル含有磁気活水に、ナノバブルによって発生されるフリーラジカルが有する酸化能力と、磁気活水中に発生する活性酸素が有する酸化能力の両方を備えさせることができる。
【００４６】
本発明のナノバブル含有磁気活水製造方法では、前記第１気体せん断工程は、前記液体をポンプにて攪拌する液体攪拌工程と、前記攪拌されている液体に対して前記気体を加える気体混合工程と、を有し、前記気体混合工程では、前記ポンプの出力が最大値に達した時点以降に、前記気体が前記液体に対して加えられることが好ましい。
【００４７】
上記構成によれば、上記ポンプが気体によって損傷することを防止することができる。つまり、キャビテーションの発生によるポンプの損傷を防止することができる。その結果、上記第１気体せん断工程において、多量のマイクロバブルを作製することができる。そして、上記第２気体せん断工程にて、当該多量のマイクロバブルから多量のナノバブルを作製することができる。
【００４８】
本発明のナノバブル含有磁気活水製造方法では、前記気体混合工程では、前記ポンプの動作開始時から６０秒後以降に、前記気体が前記液体に対して加えられることが好ましい。
【００４９】
上記構成によれば、上記ポンプの出力が確実に最大値に達しているので、上記第１気体せん断工程にて多量のマイクロバブルを作製することができるとともに、上記第２気体せん断工程にて多量のナノバブルを作製することができる。
【００５０】
本発明のナノバブル含有磁気活水製造方法では、前記液体は、上水、廃水、浴槽水、培養液または原油であることが好ましい。
【００５１】
上記構成によれば、上水、廃水、浴槽水、培養液または原油中にナノバブルを発生させることができるとともに、これら液体に磁気活性を付与することができる。その結果、これら液体を酸化処理すると同時に、これらの液体にナノバブルを含有させることができる。
【００５２】
本発明のナノバブル含有磁気活水製造方法は、前記磁気活水作製工程において磁場がかけられた前記マイクロバブル含有水または前記ナノバブル含有水を更にせん断する第３気体せん断工程を有することが好ましい。
【００５３】
上記構成によれば、最終的に作製されるナノバブル含有磁気活水中に含まれるナノバブルのサイズを小さくすることができるとともに、最終的に作製されるナノバブル含有磁気活水中に含まれるナノバブルの量を増加させることができる。その結果、ナノバブル含有磁気活水の酸化能力を上昇させることができる。
【発明の効果】
【００５４】
本発明のナノバブル含有磁気活水製造装置は、以上のように、液体と気体とを混合およびせん断してマイクロバブル含有水を作製する第１気体せん断部と、前記マイクロバブル含有水を更にせん断してナノバブル含有水を作製する第２気体せん断部と、前記マイクロバブル含有水または前記ナノバブル含有水に対して磁場をかける磁気活水作製手段と、を有するものである。
【００５５】
また、本発明のナノバブル含有磁気活水製造方法は、以上のように、液体と気体とを混合およびせん断してマイクロバブル含有水を作製する第１気体せん断工程と、前記マイクロバブル含有水を更にせん断してナノバブル含有水を作製する第２気体せん断工程と、前記マイクロバブル含有水または前記ナノバブル含有水に磁場をかける磁気活水作製工程と、を有する方法である。
【００５６】
それゆえ、本願発明の装置および方法によって作製されるナノバブル含有磁気活水は、強力な酸化作用を有するので、化学的に安定な物質を効率的に分解することができるという効果を奏する。
【００５７】
本願発明の装置および方法によって作製されるナノバブル含有磁気活水は、廃水等の処理水をナノバブル含有磁気活水とするだけで、当該処理水を容易に酸化処理することができる。その結果、従来は活性炭を用いて行っていた処理水の脱色等の処理を、活性炭を用いずに容易に行うことができるという効果を奏する。
【００５８】
また、活性炭を併用した場合には、ナノバブル含有磁気活水が、活性炭の小孔に進入する。その結果、既に活性炭に吸着した有機物を酸化分解しすることができるとともに、活性炭に繁殖した微生物を強力に活性化することによって、活性炭が吸着した有機物を微生物によって分解することができる。それゆえ、一度吸着能力がなくなった活性炭（一般に活性炭が破過したという）の吸着能力を、復活させることができるという効果を奏する。
【００５９】
また、処理水中の有機物を強力に酸化することができるので、従来の技術では化学的酸素要求量を低減することが困難な処理水においても、化学的酸素要求量を低減できるという効果を奏する。
【発明を実施するための最良の形態】
【００６０】
〔実施の形態１〕
本発明の一実施形態について図１に基づいて説明すれば、以下の通りである。
【００６１】
本実施の形態のナノバブル含有磁気活水製造装置は、ナノバブルを含有する磁気活水を作製することができる。なお、本明細書において「ナノバブル」とは、その発生時において数百ｎｍ以下の直径を有する気泡が意図される。また、本明細書において「磁気活水」とは、例えば人工的に作り出された磁場中に水を通過させることにより、磁界のエネルギーによって活性化された液体（例えば、水）が意図される。また、本明細書において「磁気活性」とは、磁力線の作用によって、液体（例えば、水）が備える活性が意図される。
【００６２】
本実施の形態のナノバブル含有磁気活水製造装置１７は、槽１、ナノバブル発生機４７、第１磁気活水作製部９（磁気活水作製手段）、および第１配管径調節部３４（配管径調節手段）を備えている。以下に、各構成について説明することにする。
【００６３】
まず、槽１について説明する。
【００６４】
槽１は、ナノバブル含有磁気活水を作製するための材料の１つである液体を貯蔵するための空間として用いられるとともに、作製されたナノバブル含有磁気活水が吐出されるス空間としても用いられる。なお、作製されたナノバブル含有磁気活水を吐出するための空間としては、槽１とは別の槽（図示せず）を用いることも可能である。
【００６５】
槽１は、液体を少なくとも一時的に保持することができるものであればよく、その具体的な構成は特に限定されない。適宜目的に応じて、槽１の大きさおよび材質を選択することができる。
【００６６】
上述したように、槽１の内部には、ナノバブル含有磁気活水を作製するための液体が貯蔵されている。上記液体としては特に限定されず、目的に応じて液体の種類を選択することができる。例えば、上記液体としては、上水、廃水（例えば、有機フッ素化合物含有廃水など）、浴槽水（例えば、治療用浴槽水）、再利用水、培養液（例えば、微生物または細胞の培養液、魚等の養殖に用いる水、植物の栽培に用いる水など）、薬品、化粧品、有機溶剤、重油、原油、またはバイオエタノールなどを用いることができるがこれらに限定されない。本実施の形態のナノバブル含有磁気活水であれば、これら液体中に含まれる化学的に安定な物質を効率的に分解することができる。
【００６７】
次いで、ナノバブル発生機４７について説明する。
【００６８】
上記ナノバブル発生機４７は、配管２、気液混合循環ポンプ３（ポンプ）を有する第１気体せん断部４、第２気体せん断部５、第３気体せん断部１４、配管７（第４配管）および電動ニードルバルブ８（気体量調節手段）を備えている。
【００６９】
上記第１気体せん断部４には配管２および配管７が接続されている。そして、上記配管２を介して第１気体せん断部４に液体が供給されるとともに、上記配管４を介して第１気体せん断部４に気体が供給される。そして、上記第１気体せん断部４の中で上記液体と上記気体とが混合およびせん断されて、その結果、マイクロバブル含有水が作製される。
【００７０】
上記第１気体せん断部４内への液体の供給は、気液混合循環ポンプ３を動作させることによって行われる。また、上記第１気体せん断部４内への気体の供給、および気体の供給量の調節は、電動ニードルバルブ８の開閉動作によって調節されている。
【００７１】
上記電動ニードルバルブ８の開閉動作のタイミングは特に限定されない。例えば、まず上記気液混合循環ポンプ３の運転を開始することによって上記第１気体せん断部４内に液体を導入するとともに当該液体を攪拌させる（液体攪拌工程）。その後、上記気液混合循環ポンプ３の出力が最大値に達した時点以降に上記電動ニードルバルブ８を開いて、これによって上記第１気体せん断部４内に気体を供給する（気体混合工程）ことが好ましい。また、上記気液混合循環ポンプ３の運転を開始してから６０秒後以降に上記電動ニードルバルブ８を開いて、これによって上記第１気体せん断部４内に気体を供給する（気体混合工程）ことが、より好ましい。
【００７２】
上記気液混合循環ポンプ３の運転開始時に上記電動ニードルバルブ８を開くことも可能であるが、この場合、気液混合循環ポンプ３がキャビテーション現象を起し、その結果、気液混合循環ポンプ３が損傷する恐れがある。しかしながら、上記構成であれば、気液混合循環ポンプ３がキャビテーション現象を起すことを防止することができるので、その結果、気液混合循環ポンプ３が破損することを防ぐことができる。
【００７３】
上記電動ニードルバルブ８を開くことによって上記第１気体せん断部４内に供給される気体の量は特に限定されない。例えば、上記第１気体せん断部４に対して、１．２リットル／分以下にて気体を供給することが好ましい。後述する実施例にも明記しているが、上記構成であれば、効率よく多量のナノバブル含有水を作製することができる。
【００７４】
図１に示すように、第１気体せん断部４には配管７（第４配管）を介して気体が供給される。上記配管７を１気体せん断部４へ接続させる場合、上記第１気体せん断部４上における配管７の接続位置、および上記第１気体せん断部４に対する配管７の接続角度等は特に限定されない。
【００７５】
例えば、図１１に、横断面の形状が円である場合の第１気体せん断部４の横断面を示す。なお、図１１における矢印は、気体・液体混合物（マイクロバブル含有水）の回転運動（旋回運動）の方向を示している。このとき、図１１に示すように、配管７は上記第１気体せん断部４の側面に接続されるとともに、上記第１気体せん断部４の内側面（換言すれば、第１気体せん断部４の内面に対する接線）に対して略１８度の角度をなすように接続されることが好ましい。換言すれば、配管７の接続箇所における局所を考えた場合、配管７は、上記気体・液体混合物の運動方向に対して１８度の角度をなすように第１気体せん断部４の内側面に接続されることが好ましい。
【００７６】
マイクロバブルを効率的に作製するためには、効率的に気体をせん断する必要がある。このとき、液体を超高速回転させて負圧部を形成させ、当該負圧部に気体を導入する。そして、気体と液体の回転速度の差により、効率的に気体をせん断させている。本願発明者らは、気体の取り込み角度、すなわち、第１気体せん断部４中の液体に対する気体の入射角度によって、気体をせん断させる効率が変化することを見出した。この場合、上記入射角度が１８度であるときが、最も気体のせん断効率が高く、それゆえ、最も多くのマイクロバブルを作製することができる。
【００７７】
次いで、ナノバブル発生機４７によってナノバブル含有水が作製される工程について説明する。なお、ナノバブル含有水は、大まかに言えば２つの工程（第１気体せん断工程および第２気体せん断工程）を経て製造される。以下に、第１気体せん断工程および第２気体せん断工程について更に詳細に説明する。
【００７８】
〔第１気体せん断工程〕
第１気体せん断工程では、気体と液体とから、マイクロバブル含有水が作製される。
【００７９】
第１気体せん断工程では、上記第１気体せん断部４において、気液混合循環ポンプ３を用いて気体と液体との混合物の圧力が流体力学的に制御されるとともに、負圧部に対して気体が吸入される。なお、「負圧部」とは、気体と液体との混合物の中で周りと比較して圧力が小さな領域を意図する。そして、上記混合物を高速流体運動させて負圧部を形成しながら気体をせん断することによって、微細なマイクロバブルを発生させる。換言すれば、液体と気体とを効果的に自給混合溶解するとともに、圧送する。これによって、より微細なマイクロバブルを含有するマイクロバブル含有水を形成することができる。
【００８０】
上記気液混合循環ポンプ３としては特に限定されないが、揚程４０ｍ以上（４ｋｇ/ｃｍ２の圧力）の高揚程のポンプであることが好ましい。また、気液混合循環ポンプ３としてはトルクが安定している２ポールのポンプを用いることが好ましい。上記構成によれば、第１気体せん断部４内のマイクロバブル含有水に対して所望の圧力を加えることが可能であり、その結果、マイクロバブル含有水に含まれるマイクロバブルをより微細にせん断することができる。
【００８１】
また、気液混合循環ポンプ３では、ポンプの圧力が制御されていることが好ましい。例えば、気液混合循環ポンプ３の回転数が、インバーター等の回転制御部（図示せず）によって制御されていることが好ましい。なお、上記回転制御部は、更にシーケンサー（図示せず）によって制御され得る。上記構成によれば、上記第１気体せん断部４の中のマイクロバブル含有水に対して所望の圧力を加えることが可能となり、その結果、マイクロバブル含有水に含まれるマイクロバブルを所望のサイズに揃えることができる。
【００８２】
上記第１気体せん断部４の材料は特に限定されないが、ステンレス、プラスチック、または樹脂であることが好ましい。上記材料の中では、ステンレスが最も好ましい。上記構成によれば、マイクロバブル含有水中に不純物が混入することを防止することができるとともに、第１気体せん断部４が振動することを防止することができる。
【００８３】
また、上記第１気体せん断部４の厚さ（隔壁の厚さ）は特に限定されないが、６ｍｍ〜１２ｍｍであることが好ましい。一般的に、第１気体せん断部４の厚さが薄ければ、第１気体せん断部４中のマイクロバブル含有水の運動によって、第１気体せん断部４が振動する。つまり、マイクロバブル含有水の運動エネルギーが振動として外部に伝播して失われるので、マイクロバブル含有水の高速流動運動が低下し、その結果、せん断エネルギーが低下する。しかしながら、上記構成によれば、第１気体せん断部４の振動を防ぐことかできるので、効率よくマイクロバブルを作製することができる。
【００８４】
次いで、気液混合循環ポンプ３を有する第１気体せん断部４がマイクロバブルを発生させるメカニズムについて詳細に説明する。
【００８５】
まず、上記第１気体せん断部４において、マイクロバブル含有水の構成成分である液体と気体とからなる混相旋回流を発生させる。具体的には、インペラと呼ばれる羽を超高速で回転させて、液体と気体とからなる混相旋回流を発生させる。このとき、第１気体せん断部４の中心部には、高速旋回する気体空洞部が形成される。
【００８６】
次いで、上記気体空洞部を圧力によって竜巻状に細くして、より高速で旋回する回転せん断流を発生させる。このとき、上記気体空洞部に対しては、当該気体空洞部の負圧を利用して、気体を自動的に供給させる。そして、さらにマイクロバブルを切断・粉砕しながら混相旋回流を回転させる。なお、上記切断・粉砕は、第１気体せん断部４の出口内外における気液二相流体の回転速度の差によって生じる。なお、上記回転速度の差は、５００〜６００回転／秒であることが好ましい。
【００８７】
すなわち、第１気体せん断部４において、気液混合循環ポンプ３によってマイクロバブル含有水を高速流体運動させることによって負圧部を形成するとともに、流体力学的にマイクロバブル含有水の圧力を制御することによって上記負圧部に対して気体を供給している。その結果、第１気体せん断部４では、マイクロバブルを発生させることができる。換言すれば、気液混合循環ポンプ３を用いて液体と気体とを効果的に自給混合溶解しながら圧送することによりマイクロバブル含有水を製造することができる。
【００８８】
上記第１気体せん断部４の内腔の横断面の形状は特に限定されないが、楕円形であることが好ましく、真円形であることが最も好ましい。また、上記第１気体せん断部４の内腔表面は、鏡面仕上げによって形成されていることが好ましい。上記構成によれば、第１気体せん断部４の内部表面の摩擦が小さいので、気体と液体との混合物を高速旋回させることができるとともに、気体を効率良くせん断することができる。その結果、多くの微細なマイクロバブルを発生させることができるとともに、最終的に多くのナノバブルを発生させることができる。
【００８９】
また、第１気体せん断部４の内部表面（内腔表面）には、溝が設けられていることが好ましい。また、上記溝の数は特に限定されないが、２本以上設けられていることが好ましい。また、上記溝は、第１気体せん断部４の内部表面上に形成された凹形状を有するものであればよく、その形状は特に限定されない。例えば、上記溝は、深さ略０．３ｍｍ〜０．６ｍｍ、幅略０．８ｍｍ以内であることが好ましい。上記構成によれば、第１気体せん断部４内の液体と気体との混合物の旋回乱流の発生を制御することができるので、多くの微細なマイクロバブルを発生させることができるとともに、最終的に多くのナノバブルを発生させることができる。
【００９０】
また、上記第１気体せん断部４へは、配管２を介して液体が供給され、配管５１を介してマイクロバブル含有水が吐出されている。このとき、上記液体を供給する配管（第２配管）の内腔の横断面の面積は、マイクロバブル含有水を吐出する配管（第３配管）の内腔の横断面の面積よりも大きいことが好ましい。上記構成によれば、マイクロバブル含有水の吐出圧力を高めることができるので、安定的にマイクロバブルを発生させることができる。
【００９１】
〔第２気体せん断工程〕
第２気体せん断工程では、上記第１気体せん断工程にて作製されたマイクロバブル含有水からナノバブル含有水が作製される。更に詳細には、上記第１気体せん断部４によって作製されたマイクロバブル含有水を第２気体せん断部５にて更にせん断して、これによって、ナノバブル含有水を作製している。
【００９２】
なお、必要に応じて第３気体せん断部１４を更に備えることができる。第３気体せん断部１４を備えれば、第２気体せん断部５によって作製されたナノバブルの大きさを更に小さくすることができるとともに、ナノバブルの量を増加させることができる。上記第３気体せん断部１４の設置位置としては特に限定されない。例えば、後述する第１磁気活水作製部９よりも下流側に設置することも可能であり、第１磁気活水作製部９よりも上流側に設置することも可能である。
【００９３】
上記気液混合循環ポンプ３によって、マイクロバブル含有水が第１気体せん断部４から第２気体せん断部５へ、さらには第３気体せん断部１４へ圧送される。マイクロバブル含有水が第１気体せん断部４から第２気体せん断部５へ、さらには第３気体せん断部１４へへと配管を介して圧送される場合には、マイクロバブル含有水が圧送される方向に向かって、徐々にまたは段階的に配管の直径が小さくなることが好ましい。上記構成によれば、マイクロバブル含有水をより高速で流体運動しながら竜巻状に細くすることができる。換言すれば、より高速で旋回する回転せん断流を発生させることができる。その結果、マイクロバブルからナノバブルを効率よく発生させることができるとともに、ナノバブル含有水中に超高温の極限反応場を形成することができる。
【００９４】
上記極限反応場が形成されると、ナノバブル含有水が局部的に高温高圧状態となり、当該局所にて不安定なフリーラジカルができるとともに、同時に熱が発生される。フリーラジカルは不対電子を有する原子または分子であって、他の原子または分子から電子を奪い取って安定化しようとする。それゆえ、フリーラジカルを含むナノバブル含有水は、強い酸化力を示すことになる。したがって上記構成によれば、フリーラジカルの作用によって、有機物などを酸化分解することができる。
【００９５】
また、第２気体せん断部５および第３気体せん断部１４は、ステンレス、プラスチック、または樹脂によって形成されていることが好ましい。上記構成によれば、ナノバブル含有水の使用目的に応じて、上記第２気体せん断部５および第３気体せん断部１４の材料を選択することができる。例えば、製薬業界では、薬に不純物が混入することを避ける必要がある。この場合、上記構成であれば、第２気体せん断部５および第３気体せん断部１４の材料が混入する可能性が低いので、製造されたナノバブル含有水を医薬品の製造、すなわち製薬に使用することができる。
【００９６】
また、第２気体せん断部５および第３気体せん断部１４の内腔の横断面の形状は、楕円形であることが好ましく、真円形であることが最も好ましい。上記構成によれば、第２気体せん断部５および第３気体せん断部１４の内部表面の抵抗（摩擦）が小さいので、マイクロバブル含有水を高速旋回させることができるとともに、マイクロバブル含有水を効率良くせん断することができ、その結果、多くのナノバブルを発生させることができる。
【００９７】
また、第２気体せん断部５および第３気体せん断部１４には、サイズおよび形が規定された小孔が開いていることが好ましい。上記小孔の開口の直径は特に限定されないが、４ｍｍ〜９ｍｍであることが好ましい。上記構成によれば、上記第２気体せん断部５および第３気体せん断部１４の内部におけるバブル含有水の旋回運動を制御することができる。つまり、上記構成によれば、上記第２気体せん断部および第３気体せん断部の内部の旋回乱流の発生を制御することができる。その結果、第２気体せん断部および第３気体せん断部によって、安定にナノバブルを発生させることができる。なお、上記小孔の具体的サイズは、ポンプの吸引最大値、モーター出力値、およびポンプ吐出圧力値によって決定することができる。
【００９８】
なお、上述した気液混合循環ポンプ３、第１気体せん断部４、第２気体せん断部５および第３気体せん断部１４の具体的な構成としては特に限定しないが、例えば市販のものを用いることが可能である。更に具体的には、例えば株式会社  協和機設社製のバビダスＨＹＫ型を用いることが可能である。
【００９９】
次いで、第１配管径調節部３４について説明する。
【０１００】
第２気体せん断部５にて作製されたナノバブル含有水は、次いで第１配管径調節部３４に導入される。
【０１０１】
本実施の形態のナノバブル含有磁気活水製造装置では、上記第１配管径調節部３４は、後述する第１磁気活水作製部９に導入するナノバブル含有水の流量を調節するとともに、上記第２気体せん断部５から乱流として吐出されたナノバブル含有水の流れを相流の状態に整える。これによって、第１磁気活水作製部９によって、ナノバブル含有水に対して磁気活性を効率よく付与させることができる。
【０１０２】
以下に、第１配管径調節部３４の具体的な構成について説明する。
【０１０３】
本実施の形態のナノバブル含有磁気活水製造装置では、第２気体せん断部５と第１磁気活水作製部９とを連結する配管５０（第１配管）に第１配管径調節部３４が設けられている。
【０１０４】
上記第１配管径調節部３４は、配管５０の少なくとも一部の内腔横断面の大きさを変化させることができるものであればよく、その具体的な構成は特に限定されない。
【０１０５】
例えば図１２（ａ）および図１２（ｂ）に示すように、上記第１配管径調節部３４は、円筒形状を有する配管によって形成され得る。図１２（ａ）に示すように、上記配管５０の各端部には、フランジ３３およびフランジ３５が備え付けられている。また、上記第１配管径調節部３４の各端部にも、フランジ３３およびフランジ３５が備え付けられている。また、上記フランジ３３およびフランジ３５にはボルト孔６５が設けられている。そして、図１２（ｂ）に示すように、当該ボルト孔６５にボルトを着脱することによって、配管５０に備え付けられたフランジ３３と第１配管径調節部３４に備え付けられたフランジ３３同士、および配管５０に備え付けられたフランジ３５と第１配管径調節部３４に備え付けられたフランジ３５同士を着脱することができる。これによって、上記配管５０の端部の間に連結する第１配管径調節部３４を交換することができる。このとき、異なる円筒形状、つまり横断面の直径が異なる円筒形状を有する複数の第１配管径調節部３４を準備しておき、これらの中から所望の第１配管径調節部３４を選択して、当該第１配管径調節部３４を配管５０の端部の間に連結すれば、これによって、配管５０の少なくとも一部の内腔横断面を、所望の大きさに変化させることができる。なお、第１配管径調節部３４の横断面の形状および大きさに応じて、適宜、フランジ３３およびフランジ３５の形状および大きさを選択することができる。
【０１０６】
第１配管径調節部３４が円筒形状の配管によって形成される場合、ナノバブル含有水が流れる方向における上記第１配管径調節部３４の長さは特に限定されず、適宜設定することができる。例えば、上記第１配管径調節部３４の長さは、後述するフランジ６に開けられた開口の直径の１０倍以上の長さであることが好ましい。また、上記第１配管径調節部３４の長さは、円筒形状を有する第１配管径調節部３４の横断面の直径の１０倍以上の長さであることが更に好ましい。
【０１０７】
上記構成によれば、乱流として第１配管径調節部３４内に導入されたナノバブル含有水を確実に相流にした後、当該ナノバブル含有水を第１磁気活水作製部９側に吐出することができる。
【０１０８】
次いで、第１磁気活水作製部９について説明する。
【０１０９】
本実施の形態のナノバブル含有磁気活水製造装置では、上記第１配管径調節部３４を通過したナノバブル含有水は、第１磁気活水作製部９に導入される。
【０１１０】
本実施の形態のナノバブル含有磁気活水製造装置では、上記第１磁気活水作製部９において、上記第２気体せん断部５にて製造されたナノバブル含有水に磁場をかける。その結果、ナノバブル含有水に対して磁気活水としての活性（磁気活性）を付与することができる。
【０１１１】
以下に、第１磁気活水作製部９の具体的な構成について説明する。
【０１１２】
本実施の形態のナノバブル含有磁気活水製造装置では、第２気体せん断部５と第３気体せん断部１４との間に第１磁気活水作製部９が設けられている。なお、第１磁気活水作製部９の位置としては、これに限定されない。
【０１１３】
上記第１磁気活水作製部９は、第２気体せん断部５にて製造されたナノバブル含有水に磁場をかけることができるものであればよく、その具体的な構成は特に限定されない。例えば、図１に示すように、上記第１磁気活水作製部９は、フランジ６およびフランジ１２に挟まれるように設けられ得る。図１に示すように、フランジ６は配管５０の端部に備え付けられており、フランジ１２は配管１３の端部に備え付けられている。また、上記第１磁気活水作製部９の一方の端部にはフランジ６が備え付けられているとともに、別の端部にはフランジ１２が備え付けられている。そして、上記フランジ６同士、および上記フランジ１２同士をボルト等によって固定することによって、上記フランジ６とフランジ１２との間に上記第１磁気活水作製部９が設けられ得る。
【０１１４】
上記第１磁気活水作製部９は、ナノバブル含有水を通過させるための流路２６を有している。そして、当該流路２６の少なくとも一部は、磁石のＳ極として機能する領域と磁石のＮ極として機能する領域によって挟まれており、これによって、上記流路２６中を通過するナノバブル含有水に磁場をかけることが可能になる。
【０１１５】
上記流路２６の横断面の形状は特に限定されず適宜設定することができる。上記流路２６の横断面の形状としては、例えば、対向する少なくとも１対の面を有するもの（例えば、正方形または長方形など）であることが好ましい。なお、上記流路２６の横断面の形状が例えば正方形または長方形である場合には、上記流路２６の立体的な形状は、略平板状になることが好ましい。
【０１１６】
一例として、図１３に、横断面の形状が長方形である流路２６を有する第１磁気活水作製部９の断面図を示す。図１３に示すように、流路２６は、互いに対向する第１面６０および第２面６１を有している。そして、上記第１面６０の側には磁石のＳ極１０が配置されており、上記第２面６１の側には磁石のＮ極１６が配置されている。そして、上記Ｓ極１０とＮ極１６との間で磁場が形成され、当該磁場の中をナノバブル含有水が通過する。換言すれば、図１に示すように、上記Ｓ極１０とＮ極１６との間で形成される磁力線１１の中をバブル含有水が通過する。そして、磁場の中を通過することによって、ナノバブル含有水には磁気活性が付与される。
【０１１７】
つまり、磁力線１１の中を液体が通過すると、微弱な電流が発生する。そして、微弱な電流の作用によって水分子同士の結合が崩れ、その結果、クラスター（分子のかたまり）が細分化する。クラスターが細分化された水は、当該クラスターのすき間に酸素を吸収する作用が高いので、外気から大量の酸素を吸収して溶存酸素濃度が高くなる。それと同時に、微弱な電流の作用により、液体中にラジカルを発生させることが可能になる。その結果、液体に磁気活性を付与すれば、当該液体中に活性酸素を発生させることが可能になる。したがって、磁気活性を有するナノバブル含有水は、ナノバブルに由来するフリーラジカルの酸化能力と、上記活性酸素に由来する酸化能力の両方を備えることが可能になり、当該強力な酸化能力によって難分解性の有機物をも分解することができる。
【０１１８】
上記第１面６０と上記第２面６１との間の距離は特に限定されず、適宜設定することができる。例えば、上記第１面６０と上記第２面６１との間の距離は、３０ｍｍ以下であることが好ましい。上記構成によれば、ナノバブル含有水に対して効率よく磁気活水としての活性を付与することができる。
【０１１９】
また、上記流路２６内の磁束密度（残留磁束密度）は、３５０ミリテスラ（３５００ガウス以上であることが好ましく、４５０ミリテスラ以上であることが、より好ましい。
【０１２０】
また、上記第１面６０の側に配置される磁石のＳ極１０の数、および上記第２面６１の側に配置される磁石のＮ極１６の数も特に限定されず、適宜設定することができる。例えば、図１に示すように、Ｓ極１０およびＮ極１６を各々３つずつ配置することができるが、これに限定されない。
【０１２１】
本実施の形態のナノバブル含有磁気活水製造装置では、第１磁気活水作製部９にて作製されたナノバブル含有磁気活水は、配管１３を介して第３気体せん断部１４に導入される。上述したように、当該第３気体せん断部１４では、ナノバブルが更にせん断される。その結果、ナノバブル含有磁気活水中のナノバブルのサイズを小さくするとともに、含有されるナノバブルの量を多くする。なお、第３気体せん断部１４の詳細については既に説明したので、ここではその説明を省略する。
【０１２２】
本実施の形態のナノバブル含有磁気活水製造装置では、第３気体せん断部１４にて処理されたナノバブル含有磁気活水は、矢印１５に示すように槽１内に吐出される。なお、ナノバブル含有磁気活水の吐出場所は槽１に限定されない。例えば、槽１とは別の槽を準備しておき、当該別の槽内へ吐出することもできる。
【０１２３】
〔実施の形態２〕
本発明の他の実施の形態について図２に基づいて説明すれば、以下の通りである。なお、本実施の形態において説明すること以外の構成は、実施の形態１と同じである。また、説明の便宜上、実施の形態１の図面に示した部材と同一の機能を有する部材については、同一の符号を付し、その説明を省略する。
【０１２４】
本実施の形態のナノバブル含有磁気活水製造装置は、第２気体せん断部５が第１磁気活水作製部９の下流に設けられている点において、実施の形態１とは異なる。
【０１２５】
したがって、本実施の形態のナノバブル含有磁気活水製造装置では、第１気体せん断部４にて製造されたマイクロバブル含有水は、まず第１配管径調節部３４に導入されて相流にされる。その後、当該マイクロバブル含有水が第１磁気活水作製部９に導入されて、当該マイクロバブル含有水に磁気活性が付与される。そして、磁気活性が付与されたマイクロバブル含有水が第２気体せん断部５、次いで第３気体せん断部１４に導入されて、ナノバブル含有水磁気活水が製造される。そして、当該ナノバブル含有磁気活水は、槽１内に吐出される。
【０１２６】
〔実施の形態３〕
本発明の他の実施の形態について図３に基づいて説明すれば、以下の通りである。なお、本実施の形態において説明すること以外の構成は、実施の形態１と同じである。また、説明の便宜上、実施の形態１の図面に示した部材と同一の機能を有する部材については、同一の符号を付し、その説明を省略する。
【０１２７】
本実施の形態のナノバブル含有磁気活水製造装置は、第２気体せん断部５が第１磁気活水作製部９の下流に設けられている点、ならびに、第２配管径調節部３７および第２磁気活水作製部１９が第１気体せん断部４の上流に設けられている点において、実施の形態１とは異なる。
【０１２８】
本実施の形態のナノバブル含有磁気活水製造装置では、槽１内の液体は、配管２を介して第２配管径調節部３７、次いで第２磁気活水作製部１９に導入された後、第１気体せん断部４に導入される。
【０１２９】
上記第２配管径調節部３７は、上述した第１配管径調節部３４と同様に形成することができる。そして、当該第２配管径調節部３７によって、乱流の状態で取り込まれた液体を相流に変換し、その後、当該液体を第２磁気活水作製部１９に導入することができる。
【０１３０】
また、上記第２磁気活水作製部１９は、基本的には、上述した第１磁気活水作製部９と同様に形成することができる。具体的には、図３に示すように、上記第２磁気活水作製部１９は、フランジ２３とフランジ２５との間に設けられている。そして、上記第２磁気活水作製部１９には流路２４が設けられており、当該流路２４を挟むように各々１個の磁石のＳ極２０およびＮ極２１が配置されている。なお、磁石のＳ極２０およびＮ極２１の各々の数は特に限定されない。そして、上記Ｓ極２０とＮ極２１との間で形成される磁力線２２の中を液体が通過する。なお、流路２４は、上述した流路２６と同様に構成すればよい。
【０１３１】
上記磁力線２２の中を液体が通過すると、微弱な電流が発生する。そして、微弱な電流の作用によって水分子同士の結合が崩れ、その結果、クラスター（分子のかたまり）が細分化する。クラスターが細分化された液体は、当該クラスターのすき間に酸素を吸収する作用が高いので、外気から大量の酸素を吸収して溶存酸素濃度が高くなる。それと同時に、微弱な電流の作用により、液体中にラジカルを発生させることが可能になる。その結果、液体に磁気活性を付与すれば、当該液体中に活性酸素を発生させることが可能になる。つまり、本実施の形態のナノバブル含有磁気活水製造装置では、マイクロバブル含有水を作製するための材料の１つである液体に対して、予め磁気活性を付与することによって、最終産物であるナノバブル含有磁気活水が有する酸化能力を更に上昇させることができる。
【０１３２】
なお、上記第２磁気活水作製部１９の下流については、実施の形態２にて説明したので、ここではその説明を省略する。
【０１３３】
着色した液体の脱色作用を指標としてナノバブル含有磁気活水の酸化能力を検討した結果、実施の形態１に記載した装置にて作製したナノバブル含有磁気活水よりも、実施の形態３に記載した装置にて作製したナノバブル含有磁気活水の方が、酸化能力は高かった（実施例参照）。
【０１３４】
〔実施の形態４〕
本発明の他の実施の形態について図４に基づいて説明すれば、以下の通りである。なお、本実施の形態において説明すること以外の構成は、実施の形態１と同じである。また、説明の便宜上、実施の形態１の図面に示した部材と同一の機能を有する部材については、同一の符号を付し、その説明を省略する。
【０１３５】
本実施の形態のナノバブル含有磁気活水製造装置は、槽１内に収容部４８が設けられると共に、当該収容部４８内に活性炭１８が充填されている点において、実施の形態１とは異なる。
【０１３６】
したがって、本実施の形態のナノバブル含有磁気活水製造装置では、液体を酸化処理することによって当該液体中の有機物を分解することができるとともに、上記有機物等を活性炭１８に物理的に吸着させることによって、液体から有機物等を除去することができる。なお、上記収容部４８は槽１内に設けられているので、ナノバブル含有磁気活水が槽１内に吐出される場合には、原料である液体と最終産物であるナノバブル含有磁気活水との両方から、有機物等を除去することができる。
【０１３７】
上記収容部４８としては、その内部に活性炭１８を充填することができるとともに、当該活性炭を槽１内の液体に接触させることができるものであればよく、その具体的な構成は特に限定されない。例えば、上記収容部４８は、網状の隔壁によってその内部と外部とが隔てられた各種容器であることが好ましい。
【０１３８】
また、上記活性炭１８としても特に限定されず、適宜市販の活性炭を用いればよい。
【０１３９】
〔実施の形態５〕
本発明の他の実施の形態について図５に基づいて説明すれば、以下の通りである。なお、本実施の形態において説明すること以外の構成は、実施の形態３と同じである。また、説明の便宜上、実施の形態３の図面に示した部材と同一の機能を有する部材については、同一の符号を付し、その説明を省略する。
【０１４０】
本実施の形態のナノバブル含有磁気活水製造装置は、槽１内に酸化還元電位計２９が設けられるとともに当該酸化還元電位計２９が信号線３０を介して酸化還元電位調節計３１に接続されている点、上記酸化還元電位調節計３１がシーケンサー３２に接続されるとともに当該シーケンサー３２が信号線２８を介して気液混合循環ポンプ３および電動ニードルバルブ８に接続されている点において、実施の形態３とは異なる。本実施の形態のナノバブル含有磁気活水製造装置は上記構成を備えているので、所望の酸化還元電位を有するナノバブル含有磁気活水を製造することができる。
【０１４１】
上記酸化還元電位計２９は、槽１内の液体およびナノバブル含有磁気活水の混合物の酸化還元電位を測定する。当該測定によって、上記混合物の酸化還元電位が、所望の酸化還元電位と比較して大きいかまたは小さいかを知ることができる。なお、酸化還元電位とは、その物質が他の物質を酸化しやすい状態にあるのか、または還元しやすい状態にあるのかを表す指標である。つまり、酸化還元電位の値がプラス側に大きければ酸化力が強いことを示し、マイナス側に大きければ還元力が強いことを示している。
なお、上記酸化還元電位計２９の具体的な構成としては特に限定されず、適宜公知の酸化還元電位計を用いることができる。
【０１４２】
上記酸化還元電位計２９にて測定された値は、信号線３０を介して酸化還元電位調節計３１へと伝達される。当該酸化還元電位調節計３１には、予め、作製しようとするナノバブル含有磁気活水が有すべき酸化還元電位の値が入力されており、当該値と実際に測定された値とが比較される。そして、上記酸化還元電位調節計３１は、上記比較結果に基づいてナノバブル含有磁気活水中のナノバブルの量を多くするべきか、少なくするべきかを判断する。
【０１４３】
上位酸化還元電位調節計３１にて行われた判断はシーケンサー３２へと伝達され、上記判断に基づいて、シーケンサー３２が、電動ニードルバルブ８の開閉動作、または気液混合循環ポンプ３の出力を制御する。つまり、測定されたナノバブル含有磁気活水の酸化還元電位の値が所望の値よりも大きな場合は、電動ニードルバルブ８を閉じる、または気液混合循環ポンプ３の出力を下げることによって、ナノバブル含有磁気活水中のナノバブルの量を減少させる。一方、測定されたナノバブル含有磁気活水の酸化還元電位の値が所望の値よりも小さな場合は、電動ニードルバルブ８を開ける、または気液混合循環ポンプ３の出力を上げることによって、ナノバブル含有磁気活水中のナノバブルの量を増加させる。これによって、ナノバブル含有磁気活水の酸化還元電位を所望の値にすることができる。
【０１４４】
〔実施の形態６〕
本発明の他の実施の形態について図６に基づいて説明すれば、以下の通りである。なお、本実施の形態において説明すること以外の構成は、実施の形態１と同じである。また、説明の便宜上、実施の形態１の図面に示した部材と同一の機能を有する部材については、同一の符号を付し、その説明を省略する。
【０１４５】
本実施の形態のナノバブル含有磁気活水製造装置は、配管６２が槽１に接続さており、当該配管６２を介してナノバブル含有磁気活水が上水処理設備３９に導入される点において、実施の形態１とは異なる。なお、第３気体せん断部１４から槽１内に吐出されるナノバブル含有磁気活水は、槽１内に貯留された後、すなわち上記吐出から一定時間後、配管６２を介して上水処理設備３９に導入される。
【０１４６】
本実施の形態のナノバブル含有磁気活水製造装置は上記構成を備えているので、難分解性の有機物（例えば、有機フッ素化合物）がより分解された水（例えば、水道水などの飲料水）などを製造することができる。
【０１４７】
本実施の形態のナノバブル含有磁気活水製造装置では、槽１内に流入水が導入されている。上記流入水としては特に限定されないが、例えば浄化することによって飲料水として用いることができる河川水、地下水または湖沼水等を挙げることができる。
【０１４８】
上記流入水を用いて製造されたナノバブル含有磁気活水は、上水処理設備３９に導入される。上記上水処理設備３９の具体的構成としては特に限定されないが、例えば、活性炭吸着塔（図示せず）を有するものであることが好ましい。上記構成によれば、ナノバブル含有磁気活水中に残存する有機物等を活性炭吸着塔に吸着させることによって、より確実に有機物等を除去することができる。
【０１４９】
本実施の形態のナノバブル含有磁気活水製造装置を用いて飲料水を製造すれば、人間や動物の体を活性化させることができる飲料水を製造することができる。つまり、ナノバブルが有する生理活性効果と磁気活水が有する生理活性効果との両方が付与された飲料水を製造することができる。
【０１５０】
〔実施の形態７〕
本発明の他の実施の形態について図７に基づいて説明すれば、以下の通りである。なお、本実施の形態において説明すること以外の構成は、実施の形態１と同じである。また、説明の便宜上、実施の形態１の図面に示した部材と同一の機能を有する部材については、同一の符号を付し、その説明を省略する。
【０１５１】
本実施の形態のナノバブル含有磁気活水製造装置は、配管６２が槽１に接続さており、当該配管６２を介してナノバブル含有磁気活水が廃水処理設備４０に導入される点において、実施の形態１とは異なる。なお、第３気体せん断部１４から槽１内に吐出されるナノバブル含有磁気活水は、槽１内に貯留された後、すなわち上記吐出から一定時間後、配管６２を介して廃水処理設備４０に導入される。
【０１５２】
本実施の形態のナノバブル含有磁気活水製造装置は上記構成を備えているので、廃水中に含まれる難分解性の有機物（例えば、有機フッ素化合物）を効率よく分解・除去することができるとともに、廃水処理に必要なコストを低く抑えることができる。
【０１５３】
本実施の形態のナノバブル含有磁気活水製造装置では、槽１内に流入水が導入されている。上記流入水としては特に限定されないが、例えば各種廃水を挙げることができる。更に具体的には、上記各種廃水としては、有機物または無機物を含有する廃水を挙げることができる。上記無機物を含有する廃水としては、無機フッ素含有廃水、酸性廃水またはアルカリ性廃水等を挙げることができる。また、上記有機物を含有する廃水としては、生活廃水、または工場廃水等を挙げることができる。
【０１５４】
上記流入水を用いて製造されたナノバブル含有磁気活水は、廃水処理設備４０に導入される。上記廃水処理設備４０の具体的構成としては特に限定されないが、例えば、微生物の培養槽、すなわち、さらに具体的な一例として曝気槽（図示せず）を有するものであることが好ましい。上記構成によれば、ナノバブル含有磁気活水中の有機物等をより効率よく除去することができる。
【０１５５】
本実施の形態のナノバブル含有磁気活水製造装置を用いて廃水を処理すれば、効率よく廃水を処理することができる。つまり、ナノバブル含有磁気活水には、活性酸素が多量に含まれている。活性酸素は、有機物等の物質との反応性が高いのみならず、廃水処理設備４０内の微生物の活性（例えば、物質の分解に関与する代謝活性など）を高めることができる。その結果、本実施の形態のナノバブル含有磁気活水製造装置であれば、より確実に廃水を処理することができる。
【０１５６】
〔実施の形態８〕
本発明の他の実施の形態について図８に基づいて説明すれば、以下の通りである。なお、本実施の形態において説明すること以外の構成は、実施の形態１と同じである。また、説明の便宜上、実施の形態１の図面に示した部材と同一の機能を有する部材については、同一の符号を付し、その説明を省略する。
【０１５７】
本実施の形態のナノバブル含有磁気活水製造装置は、配管６２が槽１に接続さており、当該配管６２を介してナノバブル含有磁気活水が有機フッ素化合物含有廃水処理設備４１に導入される点において、実施の形態１とは異なる。なお、第３気体せん断部１４から槽１内に吐出されるナノバブル含有磁気活水は、槽１内に貯留された後、すなわち上記吐出から一定時間後、配管６２を介して有機フッ素化合物含有廃水処理設備４１に導入される。本実施の形態のナノバブル含有磁気活水製造装置は上記構成を備えているので、廃水中に含まれる難分解性の有機フッ素化合物を効率よく分解・除去することができるとともに、廃水処理に必要なコストを低く抑えることができる。
【０１５８】
本実施の形態のナノバブル含有磁気活水製造装置では、槽１内に流入水が導入されている。上記流入水としては有機フッ素化合物を含有するものであればよく、特に限定されない。例えば、上記流入水としては、有機フッ素化合物を含有する廃水であることが好ましい。
【０１５９】
上記流入水を用いて製造されたナノバブル含有磁気活水は、有機フッ素化合物含有廃水処理設備４１に導入される。上記有機フッ素化合物含有廃水処理設備４１の具体的構成としては特に限定されないが、例えば、活性炭吸着塔（図示せず）を有するものであることが好ましい。上記構成によれば、ナノバブル含有磁気活水中の有機物等を活性炭吸着塔に吸着させることによって、より確実に有機物等を除去することができる。
【０１６０】
つまり、本実施の形態のナノバブル含有磁気活水製造装置では、廃水中の有機フッ素化合物のうち、分解しやすいものはナノバブル含有磁気活水が有する強力な酸化作用によって分解され、最終的に廃水中に残った難分解性の化合物（例えば、有機フッ素化合物）は、有機フッ素化合物含有廃水処理設備４１内に設置してある活性炭吸着塔に吸着させることによって除去することができる。
【０１６１】
〔実施の形態９〕
本発明の他の実施の形態について図９に基づいて説明すれば、以下の通りである。なお、本実施の形態において説明すること以外の構成は、実施の形態１と同じである。また、説明の便宜上、実施の形態１の図面に示した部材と同一の機能を有する部材については、同一の符号を付し、その説明を省略する。
【０１６２】
本実施の形態のナノバブル含有磁気活水製造装置は、配管６２が槽１に接続さており、当該配管６２を介してナノバブル含有磁気活水が浴槽設備４２に導入される点において、実施の形態１とは異なる。なお、第３気体せん断部１４から槽１内に吐出されるナノバブル含有磁気活水は、槽１内に貯留された後、すなわち上記吐出から一定時間後、配管６２を介して浴槽設備４２に導入される。
【０１６３】
本実施の形態のナノバブル含有磁気活水製造装置は上記構成を備えているので、ナノバブルが有する生理活性効果と磁気活水が有する生理活性効果との両方を備えた浴槽水を製造することができる。
【０１６４】
本実施の形態のナノバブル含有磁気活水製造装置では、槽１内に流入水が導入されている。上記流入水としては、入浴するための浴槽水を用いることができる。なお、具体的に上記浴槽水としては、一般の家庭における浴槽水、公衆浴場における浴槽水、エステ施設における浴槽水、病院における浴槽水等を挙げることができるが、これらに限定されない。
【０１６５】
上記流入水を用いて製造されたナノバブル含有磁気活水は、浴槽設備４２に導入される。上記浴槽設備４２の具体的構成としては特に限定されないが、例えば、少なくとも一定量のナノバブル含有磁気活水を貯留することができる浴槽（図示せず）を有するものであることが好ましい。上記構成によれば、上記入浴槽中のナノバブル含有磁気活水に体を接触させることによって、皮膚からナノバブル含有磁気活水が吸収されて体内の血流量を増加させるのみならず、皮膚を効率よく洗浄することができる。その結果、皮膚を滑らかにする効果、美肌効果、皮膚の若返り効果、および育毛効果などを体に及ぼすことができる。
【０１６６】
〔実施の形態１０〕
本発明の他の実施の形態について図１０に基づいて説明すれば、以下の通りである。なお、本実施の形態において説明すること以外の構成は、実施の形態４と同じである。また、説明の便宜上、実施の形態４の図面に示した部材と同一の機能を有する部材については、同一の符号を付し、その説明を省略する。
【０１６７】
本実施の形態のナノバブル含有磁気活水製造装置は、配管６２を介してナノバブル含有磁気活水がピット４３内に導入される点、ピット４３内のナノバブル含有磁気活水がピットポンプ４４によって、急速ろ過機４５および活性炭吸着塔４６に導入される点において、実施の形態４とは異なる。
【０１６８】
本実施の形態のナノバブル含有磁気活水製造装置では、槽１内に吐出されたナノバブル含有磁気活水が配管６２を介してピット４３内に導入される。上記ピット４３は、ナノバブル含有磁気活水を一時的に貯蔵し得るものであればよく、その具体的な構成は特に限定されない。
【０１６９】
上記ピット４３内に貯蔵されたナノバブル含有磁気活水は、ピットポンプ４４を駆動することによって、まず急速ろ過機４５に導入される。
【０１７０】
上記ピットポンプ４４としては特に限定されず、適宜公知のポンプを用いることができる。
【０１７１】
また、上記急速ろ過機４５としても特に限定されず、適宜公知の濾過装置を用いることができる。なお、急速ろ過機４５によってろ過される物質のサイズも特に限定されず、目的に応じて適宜設定すればよい。当該急速ろ過機４５によって、比較的大きな物質を、ナノバブル含有磁気活水から除去することができる。
【０１７２】
上記急速ろ過機４５によって処理されたナノバブル含有磁気活水は、次いで、活性炭吸着塔４６に導入される。活性炭吸着塔４６は自身に物質を吸着させる性質を有するので、上記急速ろ過機４５によって除去することができなかった比較的小さな物質（例えば、有機フッ素化合物など）を吸着して、当該物質をナノバブル含有磁気活水から除去することができる。そして、上記活性炭吸着塔４６にて処理されたナノバブル含有磁気活水は、不純物の混入濃度が極めて低い処理水に変換される。
【０１７３】
上記活性炭吸着塔４６としては特に限定されず、例えば活性炭を含んだ各種カラム等を用いることができる。
【実施例】
【０１７４】
〔１．ナノバブル含有磁気活水製造装置〕
図１に基づいて、ナノバブル含有磁気活水製造装置を作製した。なお、槽１の容量を略１ｍ３とした。また、ナノバブル発生機４７としては、３．７ｋｗの気液混合循環ポンプ３を有するもの（株式会社協和機設製のＨＹＫ型）を用いた。また、第１磁気活水作製部９としては、寸法が全長８００ｍｍ、断面の横幅１６０ｍｍおよび断面の縦幅３１０ｍｍのもの（株式会社ビー・シー・オー製のＢＫ型）を用いた。
【０１７５】
槽１中に８００リットルの水を投入した後、ナノバブル発生機４７を１２分間運転し、ナノバブルの直径および量をベックマンコールター株式会社製の測定器にて測定したところ、直径０．１μｍのものを中心として、ナノバブルが略正規分布していることが確認できた。
【０１７６】
また、ナノバブル含有磁気活水が有する磁気活性に由来する酸化還元電位をＯＲＰ計（東亜ディーケーケー株式会社製のＨＣ型）で測定したところ、プラスの３００ｍｖであった。
【０１７７】
〔２．気体量とバブルサイズとの関係〕
上述したナノバブル含有磁気活水製造装置を用いて、第１気体せん断部４に供給する気体（空気）の量と、そのときに製造されるバブルのサイズとの関係を検討した。マイクロバブル発生部４に供給する気体の量としては、０．６Ｌ／分、０．７５Ｌ／分、１．２Ｌ／分、または１．５Ｌ／分とし、各条件下で製造されるバブルの直径および量をベックマンコールター株式会社製の測定器にて測定した。その結果を表１に示す。
【０１７８】
【表１】
0004890377.tif 000002
【０１７９】
表１からも明らかなように、第１気体せん断部４に供給する気体が１．２Ｌ／分以下であれば、効率よくナノバブルが作製できることが明らかになった。一方、第１気体せん断部４に供給する気体が１．２Ｌ／分よりも多ければ、ナノバブルではなくマイクロバブルが製造されることが明らかになった。
【０１８０】
〔３．気液混合循環ポンプへの空気取り込み開始時間〕
上述したナノバブル含有磁気活水製造装置を用いて、気液混合循環ポンプ３への空気取り込み開始時間と、上記気液混合循環ポンプ３から１ｍ離れた場所における振動との関係を調べた。その結果を、表２に示す。
【０１８１】
【表２】
0004890377.tif 000003
【０１８２】
表２から明らかなように、気液混合循環ポンプ３の動作開始時から６０秒後以降に空気を気液混合循環ポンプ３に取り込めば、振動が極めて低いことが明らかになった。なお、一般的な測定器では、４５デシベル以下の振動は、値が低すぎるので測定することができない。
【０１８３】
上記条件下で振動を抑えれば、ポンプのインペラに負担をかけることなく、またインペラを損傷することなく、ナノバブルを製造することができる。
【０１８４】
〔４．第１気体せん断部４の隔壁の厚さ〕
上述したナノバブル含有磁気活水製造装置において、第１気体せん断部４の隔壁の厚さを様々な厚さに変更して、そのとき気液混合循環ポンプ３から１ｍ離れた場所における振動を測定した。その結果を、表３に示す。
【０１８５】
【表３】
0004890377.tif 000004
【０１８６】
表３から明らかなように、第１気体せん断部４の厚さが５ｍｍ以下であれば、振動が大きいことが明らかになった。つまり、第１気体せん断部４の厚さが５ｍｍ以下であれば、第１気体せん断部４の内部で旋回している液体と気体との混合物の運動エネルギーが、振動として外部に伝播して失われることが明らかになった。
【０１８７】
一方、第１気体せん断部４の厚さが６ｍｍ以上であれば、振動が小さいことが明らかになった。つまり、第１気体せん断部４の厚さが６ｍｍ以上であれば、第１気体せん断部４の内部で旋回している液体と気体との混合物の運動エネルギーが、振動として外部に伝播して失われることがないことが明らかになった。
【０１８８】
〔５．ナノバブル含有磁気活水の効果〕
上述したナノバブル含有磁気活水製造装置を用いて作製したナノバブル含有磁気活水と、対照としてマイクロバブル含有水とを、それぞれ着色有機物含有廃水に加えた。なお、ナノバブル含有磁気活水およびマイクロバブル含有水は、上記着色有機物含有廃水の体積の１０％量を加えた。加えてから１２時間後に、色度、化学的酸素要求量および破過した活性炭吸着性の回復度（吸着性能の回復）について検討した。
【０１８９】
【表４】
0004890377.tif 000005
【０１９０】
表４に示すように、ナノバブル含有磁気活水はマイクロバブル含有水と比較して、いずれの項目においても優れていることが明らかになった。
【０１９１】
〔６．ナノバブル含有磁気活水製造装置間の酸化能力の比較〕
上述したナノバブル含有磁気活水製造装置に基づいて、図３に示したナノバブル含有磁気活水製造装置を作製した。なお、第２磁気活水作製部１９としては、第１磁気活水作製部９と同じ構成を用いた。
【０１９２】
その後、図１に示すナノバブル含有磁気活水製造装置と、図３に示すナノバブル含有磁気活水製造装置とに同一の廃水を導入して運転したあと、槽１内の液体の水質を検討した。なお、上記水質の指標として、具体的には、色度、および化学的酸素要求量を測定した。
【０１９３】
【表５】
0004890377.tif 000006
【０１９４】
表４に示すように、実施の形態１に記載した装置（図１参照）にて作製したナノバブル含有磁気活水よりも、実施の形態３に記載した装置（図３参照）にて作製したナノバブル含有磁気活水の方が、酸化能力は高かった。
【０１９５】
〔７．有機フッ素化合物の分解〕
図８に基づいて、上述したナノバブル含有磁気活水製造装置の下流に有機フッ素化合物含有廃水処理設備４１を接続し、当該装置を用いて有機フッ素化合物含有廃水を処理し、各処理段階における水質を測定した。
【０１９６】
上記有機フッ素化合物含有廃水処理設備４１としては、１）原水槽、２）第１接触曝気槽、３）第２接触曝気槽、４）備長炭前処理槽、５）急速ろ過塔、および６）活性炭吸着塔を用いた。つまり、上記１）〜６）をこの順番で直列に接続するとともに、上記１）〜４）に示される槽のそれぞれの上部スラブ（コンクリート床面）に、上述したナノバブル含有磁気活水製造装置を接続した。
【０１９７】
そして、水中ポンプにて、上記１）〜４）に示される各槽にて一度処理された処理水を汲み上げた後、当該処理水のそれぞれを別々に、再度、ナノバブル含有磁気活水製造装置１７に導入した。そして、上記ナノバブル含有磁気活水製造装置１７および有機フッ素化合物含有廃水処理設備４１の両方によって処理された水を、上記１）、２）および６）において採集し、当該処理水の水質を検討した。
【０１９８】
上記水質の指標として、具体的には、色度、化学的酸素要求量、および有機フッ素化合物濃度を測定した。なお、上記有機フッ素化合物としては、パーフルオロオクタン酸（ＰＦＯＡ）を用いた。また、有機フッ素化合物濃度の測定には、液体クロマトグラフ−タンデム型質量分析計（ＬＣ−ＭＳ／ＭＳ法）を用いた。
【０１９９】
【表６】
0004890377.tif 000007
【０２００】
表４に示すように、本実施例のナノバブル含有磁気活水製造装置は、効率よく有機フッ素化合物を分解することができた。
【０２０１】
なお本発明は、以上説示した各構成に限定されるものではなく、特許請求の範囲に示した範囲で種々の変更が可能であり、異なる実施形態や実施例にそれぞれ開示された技術的手段を適宜組み合わせて得られる実施形態や実施例についても本発明の技術的範囲に含まれる。
【産業上の利用可能性】
【０２０２】
本発明は、浄水装置、入浴装置、飲料水製造装置、石油関連製品製造装置などに代表される各種液体処理装置やその部品を製造する分野に利用することができる。更に詳細には、本発明は各種液体（例えば、上水、廃水、地下水、難分解性物質含有廃水、再利用水、植物栽培の水耕液、各種分野の洗浄水、浴槽水、蒸留前の重油、蒸留前のバイオエタノール等）に含まれる有機物質を除去することを必要とする分野に利用することができる。
【図面の簡単な説明】
【０２０３】
【図１】本発明におけるナノバブル含有磁気活水製造装置の実施の一形態を示す模式図である。
【図２】本発明におけるナノバブル含有磁気活水製造装置の他の実施の形態を示す模式図である。
【図３】本発明におけるナノバブル含有磁気活水製造装置のさらに他の実施の形態を示す模式図である。
【図４】本発明におけるナノバブル含有磁気活水製造装置のさらに他の実施の形態を示す模式図である。
【図５】本発明におけるナノバブル含有磁気活水製造装置のさらに他の実施の形態を示す模式図である。
【図６】本発明におけるナノバブル含有磁気活水製造装置のさらに他の実施の形態を示す模式図である。
【図７】本発明におけるナノバブル含有磁気活水製造装置のさらに他の実施の形態を示す模式図である。
【図８】本発明におけるナノバブル含有磁気活水製造装置のさらに他の実施の形態を示す模式図である。
【図９】本発明におけるナノバブル含有磁気活水製造装置のさらに他の実施の形態を示す模式図である。
【図１０】本発明におけるナノバブル含有磁気活水製造装置のさらに他の実施の形態を示す模式図である。
【図１１】上記ナノバブル含有磁気活水製造装置における、第１気体せん断部と配管との接続を示す模式図である。
【図１２】（ａ）および（ｂ）は、上記ナノバブル含有磁気活水製造装置における、配管径調節部の模式図である。
【図１３】上記ナノバブル含有磁気活水製造装置における、磁気活水作製部の横断面図である。
【符号の説明】
【０２０４】
１  槽
２・１３・５１・６２  配管
３  気液混合循環ポンプ（ポンプ）
４  第１気体せん断部
５  第２気体せん断部
６・１２・２３・２５・３３・３５  フランジ
７  配管（第４配管）
８  電動ニードルバルブ（気体量調節手段）
９  第１磁気活水作製部（磁気活水作製手段）
１０・２０  Ｓ極
１１・２２  磁力線
１４  第３気体せん断部
１６・２１  Ｎ極
１７  ナノバブル含有磁気活水製造装置
１８  活性炭
１９  第２磁気活水作製部
２４・２６  流路
２８・３０  信号線
２９  酸化還元電位計
３１  酸化還元電位調節計
３２  シーケンサー
３４  第１配管径調節部（配管径調節手段）
３７  第２配管径調節部
３９  上水処理設備
４０  廃水処理設備
４１  有機フッ素化合物含有廃水処理設備
４２  浴槽設備
４３  ピット
４４  ピットポンプ
４５  急速ろ過機
４６  活性炭吸着塔
４７  ナノバブル発生機
４８  収容部
５０  配管（第１配管）
６０  第１面
６１  第２面
６５  ボルト孔
【図１】
0004890377.tif 000008
【図２】
0004890377.tif 000009
【図３】
0004890377.tif 000010
【図４】
0004890377.tif 000011
【図５】
0004890377.tif 000012
【図６】
0004890377.tif 000013
【図７】
0004890377.tif 000014
【図８】
0004890377.tif 000015
【図９】
0004890377.tif 000016
【図１０】
0004890377.tif 000017
【図１１】
0004890377.tif 000018
【図１２】
0004890377.tif 000019
【図１３】
0004890377.tif 000020